(57)【要約】【課題】  第２筐体の各操作部毎の操作を第１筐体の表示部を見ながら容易に行うことができる携帯端末を提供する。【解決手段】  この携帯端末１０は、表示部１１が設けられた第１筐体１３と、第１筐体１３に隣接配置された第２筐体１４と、第１筐体１３および第２筐体１４の境界面１５に対して直交配置され、第１筐体１３と第２筐体１４とを相対的に回動可能に連結する連結軸１６と、第２筐体１４の外面において該第２筐体１４の回動方向の互いに異なる面に設けられ、表示部１１の表示に関連する操作を行うための複数の操作部１７，１８と備え、連結軸１６を中心として第１筐体１３および第２筐体１４を相対的に回動させることにより、各操作部１７，１８のうちのいずれかの操作部を表示部１１と同じ側に選択的に配置可能とする。【選択図】  図１
2006067341.tif 000002
【特許請求の範囲】
【請求項１】
表示部が設けられた第１筐体と、前記第１筐体に隣接配置された第２筐体と、前記第１筐体および前記第２筐体の境界面に対して直交配置され、前記第１筐体と前記第２筐体とを相対的に回動可能に連結する連結軸と、前記第２筐体の外面において該第２筐体の回動方向の互いに異なる面に複数の操作部と備え、
前記連結軸を中心として前記第１筐体および前記第２筐体を相対的に回動させることにより、前記各操作部のうちのいずれかの操作部を前記表示部と同じ側に選択的に配置可能であることを特徴とする携帯端末。
【請求項２】
前記連結軸が、前記第１筐体および前記第２筐体の配列方向に沿って配置されていることを特徴とする請求項１に記載した携帯端末。
【発明の詳細な説明】
【技術分野】
【０００１】
本発明は、例えば文字や図形等を手描き入力するタッチパッド等の操作部を備えた携帯電話やＰＨＳ等の携帯端末に関する。
【背景技術】
【０００２】
従来の一般的な携帯端末としては、例えば、表示部を有する第１筐体と、第１筐体に隣接配置され、通話やメール等の通信機能等を操作する操作部としての各種入力キー等を有する第２筐体とを備え、第１筐体および第２筐体が各筐体の境界面に沿って配置された連結軸を中心として相対的に回動可能に連結された折り畳み式の携帯端末がある。
【０００３】
ところで、近年、第１筐体に液晶表示装置等の表示部と第１操作部としての各種入力キーとを配置するとともに、第２筐体に例えば指等の接触入力により表示部のポインティングカーソルの位置を移動させるタッチパッド等の第２操作部を配置して、第２筐体を第１筐体の側部に対して相対的に回動可能にヒンジ結合した携帯端末が提案されている（例えば特許文献１参照）。
【特許文献１】特開２００１−２１０９６２号公報（図３）
【発明の開示】
【発明が解決しようとする課題】
【０００４】
上記特許文献１に記載の携帯端末では、第２筐体の回動により、該第２筐体を第１筐体の背面に嵌合した場合や第１筐体の側部に突出配置した場合においても、タッチパッドを操作できるように接触入力に応じて表示部上を移動するポインティングカーソルの移動方向を切り替える切替手段を備えているが、第２筐体を第１筐体の側部に突出配置した場合には、一方の手で第１筐体を持った状態で他方の手で第２筐体のタッチパッドを操作することになるため操作性が低下し、また、第１筐体の各種入力キーを操作する際にも該第１筐体の側部から突出した第２筐体が邪魔になる。
【０００５】
一方、第２筐体を第１筐体の背面に嵌合した場合では、片手で第１筐体を持った状態で第２筐体のタッチパッドの操作ができるため操作性は比較的良好であり、また、第１筐体の各種入力キーを操作する際にも第２筐体が邪魔になることはないが、第２筐体の第２操作部として例えば文字や図形等を手描き入力するタッチパッドを設けた場合には、表示部を見ながらの操作が困難になるという問題が生じてくる。
【０００６】
本発明は、前述した問題点に鑑みてなされたものであり、その目的は、第２筐体の各操作部毎の操作を第１筐体の表示部を見ながら容易に行うことができる携帯端末を提供することにある。
【課題を解決するための手段】
【０００７】
前述した目的を達成するために、本発明に係る携帯端末は、表示部が設けられた第１筐体と、前記第１筐体に隣接配置された第２筐体と、前記第１筐体および前記第２筐体の境界面に対して直交配置され、前記第１筐体と前記第２筐体とを相対的に回動可能に連結する連結軸と、前記第２筐体の外面において該第２筐体の回動方向の互いに異なる面に複数の操作部と備え、前記連結軸を中心として前記第１筐体および前記第２筐体を相対的に回動させることにより、前記各操作部のうちのいずれかの操作部を前記表示部と同じ側に選択的に配置可能であることを特徴とする。
【０００８】
また、本発明に係る携帯端末は、前記連結軸が、前記第１筐体および前記第２筐体の配列方向に沿って配置されていることを特徴とする。
【発明の効果】
【０００９】
本発明によれば、第１筐体と第２筐体との境界面に対して直交配置された連結軸を中心として第１筐体および第２筐体を相対的に回動させることにより、第２筐体の外面において該第２筐体の回動方向の互いに異なる面に設けられた各操作部のうちのいずれかの操作部を第１筐体の表示部と同じ側に選択的に配置することができるので、これにより、片手で第２筐体を持った状態で第１筐体の表示部を見ながら第２筐体の各操作部毎の操作を容易に行うことができる。
【発明を実施するための最良の形態】
【００１０】
以下、本発明に係る実施形態を図面に基づいて詳細に説明する。図１は本発明に係る第１実施形態である携帯端末を示す図、図２は第１筐体に対する第２筐体の相対的な回動動作を説明するための斜視図、図３は右利きの人が第２筐体の手描きタッチパッドを操作する方法を示す図、図４は左利きの人が第２筐体の手描きタッチパッドを操作する方法を示す図、図５は携帯端末を置き時計として用いる例を示す図、図６は図５の矢印Ａ方向から見た斜視図、図７〜図２１は本発明に係る第２〜第１２実施形態である携帯端末を示す図である。
【００１１】
図１に示すように、本発明の第１実施形態である携帯端末１０は、液晶表示装置等の表示部１１が正面側に設けられるとともに背面側にカメラレンズ１２が設けられた第１筐体１３と、第１筐体１３に隣接配置された第２筐体１４とを備えている。
第１筐体１３および第２筐体１４はいずれも平面視して矩形状をなして互いに略同じ形状および大きさとされており、第１筐体１３と第２筐体１４との境界面１５は配列方向に直交する方向に沿う平面とされている。
【００１２】
第１筐体１３および第２筐体１４は、境界面１５に対して直交する方向、すなわち、第１筐体１３および第２筐体１４の配列方向に沿って配置された連結軸１６によって相対的に回動可能に連結されている。また、第２筐体１４の正面には通話やメール等の通信機能やカメラ機能等を操作する第１操作部としての各種入力キー群１７が設けられ、第２筐体１４の背面には文字や図形等を手描き入力する第２操作部としてのタッチパッド１８が設けられている。
【００１３】
また、第１筐体１３の上端部にはストラップ１３ａが取り付けられ、該ストラップ１３ａにはタッチパッド１８に手描き入力するための入力ペン１９が取り付けられている。
更に、第１筐体１３の表示部１１の上部にはスピーカ２０が配置され、第２筐体１４の各種入力キー群１７の下部にはマイク２１が配置されている。
【００１４】
なお、第１筐体１３側の基板と第２筐体１４側の基板とは例えば連結軸１６を挿通するフレキシブル配線等により互いに電気的に接続されており、これにより、各種入力キー群１７やタッチパッド１８からの入力を所定の検出部で検出し、該検出信号に基づいてマイクロコンピュータ等からなる制御部が画像処理部を制御して表示部１１に各種入力キー群１７やタッチパッド１８からの入力に応じた所定の画像を表示するとともに、通信処理部を制御して無線通信を実行する。
【００１５】
そして、第２筐体１４の各種入力キー群１７を操作する場合は、図２（ａ）に示すように、第２筐体１４の各種入力キー群１７を第１筐体１３の表示部１１と同じ側に配置して、該表示部１１を見ながら各種入力キー群１７を操作し、第２筐体１４のタッチパッド１８を操作する場合には、図２（ｂ）および図２（ｃ）に示すように、連結軸１６を中心として第２筐体１４を第１筐体１３に対して１８０°相対的に回動させて第２筐体１４のタッチパッド１８を第１筐体１３の表示部１１と同じ側に配置し、この状態で表示部１１を見ながら入力ペン１９でタッチパッド１８に文字や図形等の手描き入力操作を行う。
【００１６】
なお、第２筐体１４のタッチパッド１８に入力ペン１９で手描き入力する際には、ソフトウエアの画像表示の切替設定等により、右利きの人と左利きの人とで操作方法を変えるようにしてもよい。
例えば、右利きの人の場合は、図３に示すように、第１筐体１３の表示部１１を左側にして第１筐体１３および第２筐体１４を左右方向に配置し、第１筐体１３を左手で持った状態で右側の第２筐体１４のタッチパッド１８に右手で持った入力ペン１９で手描き入力操作を行う。
【００１７】
一方、左利きの人の場合は、図４に示すように、第１筐体１３の表示部１１を右側にして第１筐体１３および第２筐体１４を左右方向に配置し、第１筐体１３を右手で持った状態で左側の第２筐体１４のタッチパッド１８に左手で持った入力ペン１９で手描き入力操作を行う。
【００１８】
このように第１実施形態では、第１筐体１３と第２筐体１４との境界面１５に対して直交配置された連結軸１６を中心として第１筐体１３および第２筐体１４を相対的に回動させることにより、第２筐体１４の外面の該第２筐体１４の回動方向の互いに異なる面に設けられた各種入力キー群１７およびタッチパッド１８のうちのいずれかの操作部を第１筐体１３の表示部１１と同じ側に選択的に配置することができるので、これにより、片手で第２筐体１４を持った状態で第１筐体１３の表示部１１を見ながら第２筐体の各種入力キー群１７やタッチパッド１８毎の操作を容易に行うことができる。
【００１９】
また、第２筐体１４の各種入力キー群１７やタッチパッド１８を操作する際には、いずれの場合も携帯端末１０の平面形状や面積は変化しないので、従来のような邪魔な突出物による操作性の阻害を回避することができる。
【００２０】
なお、上記第１実施形態では、連結軸１６を中心として第２筐体１４を第１筐体１３に対して１８０°相対的に回動させた場合を説明しているが、例えば図５および図６に示すように、第１筐体１３および第２筐体１４の境界面１５をなす第１筐体１３の下端面と第２筐体１４の上端面が任意の角度（例えば４５°）で交差するように第２筐体１４を第１筐体１３に対して相対的に回動させ、第１筐体１３の表示部１１を時刻表示してテーブルや机に載置することで置き時計として用いてもよく、その他、表示部１１に表示する種類によって、カレンダー、写真立て、待ち受け画面、ＴＶ動画、ハンズフリーのＴＶ電話等としても用いることができる。
【００２１】
また、第１筐体１３の下端面１３ｂ、第２筐体１４の上端面１４ａおよび両側面１４ｂ，１４ｃにＬＥＤ等のイルミネーションや照明部、その他の操作部を設けるようにしてもよい。
【００２２】
次に、図７〜図２１を参照して、本発明に係る第２〜第１２実施形態である携帯端末を説明する。なお、各実施形態ともに、上記第１実施形態と重複或いは相当する部分については各図に同一符号を付してその説明を省略する。
【００２３】
図７に示す本発明の第２実施形態である携帯端末３０は、第１筐体３３の下端の幅方向両側部から下方に向けて脚部材３１を延設するとともに、各脚部材３１の下端部同士を連結部材３２で連結して略矩形状の枠体３１ａを形成し、該枠体３１ａ内に第２筐体３４を収納したものである。
【００２４】
第１筐体３３と第２筐体３４との境界面は、第１筐体３３および第２筐体３４の配列方向に沿う２つの平面３５ａと該配列方向に直交する方向に沿う２つの平面３５ｂとされている。そして、この第２実施形態では、第１筐体３３および第２筐体３４は、第１筐体３３および第２筐体３４の配列方向に沿う２つの平面からなる境界面３５ａに対して直交する方向に沿って配置された２本の連結軸１６によって相対的に回動可能に連結されている。
【００２５】
そして、第２筐体３４の各種入力キー群１７を操作する場合は、図７（ａ）に示すように、第２筐体３４の各種入力キー群１７を第１筐体３３の表示部１１と同じ側に配置して、該表示部１１を見ながら各種入力キー群１７を操作し、第２筐体３４のタッチパッド１８を操作する場合には、図７（ｂ）および図７（ｃ）に示すように、連結軸１６を中心として第２筐体３４を第１筐体３３に対して１８０°相対的に回動させて第２筐体３４のタッチパッド１８を第１筐体３３の表示部１１と同じ側に配置し、この状態で表示部１１を見ながら入力ペン１９でタッチパッド１８に文字や図形等の手描き入力操作を行う。
【００２６】
この第２実施形態によれば、第２筐体３４が第１筐体３３の枠体３１ａ内に配置されるので、第２筐体３４の耐衝撃性を高めることができる。その他の構成および作用効果については上記第１実施形態と同様である。
【００２７】
図８に示す本発明の第３実施形態である携帯端末４０は、上記第２実施形態と同様に、第１筐体３３の下端の幅方向両側部から下方に向けて脚部材３１を延設するとともに、各脚部材３１の下端部同士を連結部材３２で連結して略矩形状の枠体３１ａを形成し、該枠体３１ａ内に第２筐体３４を収納したものである。
【００２８】
第１筐体３３と第２筐体３４との境界面は、第１筐体３３および第２筐体３４の配列方向に沿う２つの平面３５ａと該配列方向に直交する方向に沿う２つの平面３５ｂとされている。
そして、この第３実施形態では、第１筐体３３および第２筐体３４は、第１筐体３３および第２筐体３４の配列方向に直交する方向に沿う２つの平面からなる境界面３５ｂに対して直交する方向、すなわち、配列方向に沿って配置された２本の連結軸１６によって相対的に回動可能に連結されている。
【００２９】
そして、第２筐体３４の各種入力キー群１７を操作する場合は、図８（ａ）に示すように、第２筐体３４の各種入力キー群１７を第１筐体３３の表示部１１と同じ側に配置して、該表示部１１を見ながら各種入力キー群１７を操作し、第２筐体３４のタッチパッド１８を操作する場合には、図８（ｂ）および図８（ｃ）に示すように、連結軸１６を中心として第２筐体３４を第１筐体３３に対して１８０°相対的に回動させて第２筐体３４のタッチパッド１８を第１筐体３３の表示部１１と同じ側に配置し、この状態で表示部１１を見ながら入力ペン１９でタッチパッド１８に文字や図形等の手描き入力操作を行う。
【００３０】
この第３実施形態によれば、上記第２実施形態と同様に、第２筐体３４が第１筐体３３の枠体３１ａ内に配置されるので、第２筐体３４の耐衝撃性を高めることができる。
その他の構成および作用効果については上記第１実施形態と同様である。
【００３１】
図９に示す本発明の第４実施形態である携帯端末５０は、第１筐体５３の下端の幅方向両側部から下方に向けて脚部材５１を延設して各脚部材５１の間に第２筐体５４を収納したものである。
【００３２】
第１筐体５３と第２筐体５４との境界面は、第１筐体５３および第２筐体５４の配列方向に沿う２つの平面５５ａと該配列方向に直交する方向に沿う１つの平面５５ｂとされている。
この第４実施形態では、第１筐体５３および第２筐体５４は、第１筐体５３および第２筐体５４の配列方向に沿う２つの平面からなる境界面５５ａに対して直交する方向に沿って配置された２本の連結軸１６によって相対的に回動可能に連結されている。
【００３３】
そして、第２筐体５４の各種入力キー群１７を操作する場合は、図９に示すように、第２筐体５４の各種入力キー群１７を第１筐体５３の表示部１１と同じ側に配置して、該表示部１１を見ながら各種入力キー群１７を操作し、第２筐体５４のタッチパッド１８を操作する場合には、各脚部材５１の下端部間の開放位置Ａで第２筐体５４を押して該第２筐体５４を連結軸１６を中心として第１筐体５３に対して１８０°相対的に回動させて第２筐体５４のタッチパッド１８を第１筐体５３の表示部１１と同じ側に配置し、この状態で表示部１１を見ながら入力ペン１９でタッチパッド１８に文字や図形等の手描き入力操作を行う。
【００３４】
この第４実施形態によれば、第１筐体５３の各脚部材５１の下端部間の開放位置Ａで第２筐体５４を押すことで該第２筐体５４を回動させることができるので、該第２筐体５４の回動動作を容易に行うことができる。
その他の構成および作用効果は上記第１実施形態と同様である。
【００３５】
図１０に示す本発明の第５実施形態である携帯端末６０は、第１筐体６３の下端の幅方向の一側部（図では右側部）から下方に向けて第１脚部材６１を延設するとともに、該脚部材６１の先端（下端）から第１筐体６３の幅方向の他側部（図では左側部）に向けて第２脚部材６２を延設し、第１脚部材６１と第２脚部材６２とで囲まれる空間に第２筐体６４を収納したものである。
【００３６】
第１筐体６３と第２筐体６４との境界面は、第１筐体６３および第６筐体６４の配列方向に沿う１つの平面６５ａと該配列方向に直交する方向に沿う２つの平面６５ｂとされている。
この第５実施形態では、第１筐体６３および第２筐体６４は、第１筐体６３および第２筐体６４の配列方向に直交する方向に沿う２つの平面からなる境界面６５ｂに対して直交する方向、すなわち、配列方向に沿って配置された２本の連結軸１６によって相対的に回動可能に連結されている。
【００３７】
そして、第２筐体６４の各種入力キー群１７を操作する場合は、図１０に示すように、第２筐体６４の各種入力キー群１７を第１筐体６３の表示部１１と同じ側に配置して、該表示部１１を見ながら各種入力キー群１７を操作し、第２筐体６４のタッチパッド１８を操作する場合には、第１脚部材６１の反対側（図の左側）の開放位置Ａで第２筐体６４を押して該第２筐体６４を連結軸１６を中心として第１筐体６３に対して１８０°相対的に回動させて第２筐体６４のタッチパッド１８を第１筐体６３の表示部１１と同じ側に配置し、この状態で表示部１１を見ながら入力ペン１９でタッチパッド１８に文字や図形等の手描き入力操作を行う。
【００３８】
この第５実施形態によれば、第１筐体６３の第１脚部材６１の反対側の開放位置Ａで第２筐体６４を押すことで第２筐体６４を回動させることができるので、該第２筐体６４の回動動作を容易に行うことができる。
なお、この第５実施形態では、第１筐体６３の第１脚部材６１を第１筐体６３の下端の幅方向の右側に配置しているが、該第１脚部材６１を第１筐体６３の下端の幅方向の左側に配置してもよい。
その他の構成および作用効果は上記第１実施形態と同様である。
【００３９】
図１１に示す本発明の第６実施形態である携帯端末７０は、第１筐体１３と第２筐体１４との境界面１５が配列方向に直交する方向に沿う平面とされている。
第１筐体１３および第２筐体１４は、境界面１５に対して直交する方向、すなわち、第１筐体１３および第２筐体１４の配列方向に沿って配置された連結軸１６によって相対的に回動可能に連結されている。
【００４０】
ここで、この第６実施形態では、前記連結軸１６の下端を第２筐体１４の境界面１５位置である上端面の幅方向の一側（図では右側）の固定配置するとともに、前記連結軸１６の上端を第１筐体１３の境界面１５位置である下端面に対して該境界面１５に沿って第２筐体１４と一体にスライド可能に取り付けている。
【００４１】
そして、第２筐体１４の各種入力キー群１７を操作する場合は、図１１（ａ）に示すように、第２筐体１４の各種入力キー群１７を第１筐体１３の表示部１１と同じ側に配置して、該表示部１１を見ながら各種入力キー群１７を操作し、第２筐体１４のタッチパッド１８を操作する場合には、図１１（ｂ）に示すように、連結軸１６を中心として第２筐体１４を第１筐体１３に対して１８０°相対的に回動させた後、図１１（ｃ）に示すように、第２筐体１４を連結軸１６とともに境界面１５に沿って左側にスライド移動させて第２筐体１４のタッチパッド１８を第１筐体１３の表示部１１と同じ側に配置し、この状態で表示部１１を見ながら入力ペン１９でタッチパッド１８に文字や図形等の手描き入力操作を行う。
【００４２】
図１２は、第１筐体１３および第２筐体１４の境界面１５をなす第１筐体１３の下端面と第２筐体１４の上端面とが任意の角度（例えば４５°）で交差するように第２筐体１４を第１筐体１３に対して相対的に回動させ、第１筐体１３の表示部１１に時刻等を表示してテーブルや机に載置することで置き時計等として用いる例を示したものである。
その他の構成および作用効果は上記第１実施形態と同様である。
【００４３】
図１３に示す本発明の第７実施形態である携帯端末８０は、第１筐体８３の下端の幅方向の両側部から下方に向けて脚部材８１を延設して各脚部材８１の間に第２筐体８４を収納したものである。
【００４４】
第１筐体８３と第２筐体８４との境界面は、第１筐体８３および第２筐体８４の配列方向に沿う２つの平面８５ａと該配列方向に直交する方向に沿う１つの平面８５ｂとされている。
そして、この第７実施形態では、第１筐体８３および第２筐体８４は、第１筐体８３および第２筐体８４の配列方向に沿う２つの平面からなる境界面８５ａに対して直交する方向に沿って配置された２本の連結軸１６によって相対的に回動可能に連結されている。
【００４５】
ここで、この第７実施形態では、各連結軸１６の一端を第２筐体８４の境界面８５ａ位置である幅方向の両側面の下端部に固定配置するとともに、各連結軸１６の他端を第１筐体８３の境界面８５ａ位置である脚部材８１の内側面に対して該境界面８５ａに沿って第２筐体８４と一体にスライド可能に取り付けている。
【００４６】
そして、第２筐体８４の各種入力キー群１７を操作する場合は、図１３（ａ）に示すように、第２筐体８４の各種入力キー群１７を第１筐体８３の表示部１１と同じ側に配置して、該表示部１１を見ながら各種入力キー群１７を操作し、第２筐体８４のタッチパッド１８を操作する場合には、図１３（ｂ）に示すように、連結軸１６を中心として第２筐体８４を第１筐体８３に対して１８０°相対的に回動させた後、図１３（ｃ）に示すように、第２筐体８４を連結軸１６とともに境界面８５ａに沿って上方にスライド移動させて第２筐体８４のタッチパッド１８を第１筐体８３の表示部１１と同じ側に配置し、この状態で表示部１１を見ながら入力ペン１９でタッチパッド１８に文字や図形等の手描き入力操作を行う。
【００４７】
図１４は、第１筐体８３および第２筐体８４の境界面８５ａをなす第１筐体８３の脚部材８１の内側面と第２筐体８４の幅方向の両側面とが任意の角度（例えば４５°）で交差するように第２筐体８４を第１筐体８３に対して相対的に回動させ、第１筐体８３の表示部１１に時刻等を表示してテーブルや机に載置することで置き時計等として用いる例を示したものである。その他の構成および作用効果は上記第１実施形態と同様である。
【００４８】
図１５に示す本発明の第８実施形態である携帯端末９０は、第１筐体９３および第２筐体９４がともに断面略正方形の四角柱状とされており、第１筐体９３と第２筐体９４との境界面９５は配列方向に直交する方向に沿う平面とされている。
【００４９】
第１筐体９３および第２筐体９４は、境界面９５に対して直交する方向、すなわち、第１筐体９３および第２筐体９４の配列方向に沿って配置された連結軸１６によって相対的に回動可能に連結されている。
【００５０】
第２筐体９４の正面には通話やメール等の通信機能やカメラ機能等を操作する第１操作部としての各種入力キー群１７が設けられ、第２筐体９４の幅方向の一側面には文字や図形等を手描き入力する第２操作部としてタッチパッド１８が設けられている。
なお、第２筐体９４の他の側面にゲームパッド等の操作部を設けるようにしてもよい。
【００５１】
そして、第２筐体９４の各種入力キー群１７を操作する場合は、第２筐体９４の各種入力キー群１７を第１筐体９３の表示部１１と同じ側に配置して、該表示部１１を見ながら各種入力キー群１７を操作し、第２筐体９４のタッチパッド１８を操作する場合には、連結軸１６を中心として第２筐体９４を第１筐体９３に対して９０°相対的に回動させて第２筐体９４のタッチパッド１８を第１筐体９３の表示部１１と同じ側に配置し、この状態で表示部１１を見ながら入力ペン１９でタッチパッド１８に文字や図形等の手描き入力操作を行う。
【００５２】
この第８実施形態によれば、第２筐体９４の幅方向の一側面に第２操作部としてタッチパッド１８が設けることができるので、第２筐体９４のタッチパッド１８を操作する場合には、連結軸１６を中心として第２筐体９４を第１筐体９３に対して９０°相対的に回動させるだけで、第２筐体９４のタッチパッド１８を第１筐体９３の表示部１１に対応する位置に配置することができる。その他の構成および作用効果は上記第１実施形態と同様である。
【００５３】
図１６に示す本発明の第９実施形態である携帯端末１００は、第１筐体１０３および第２筐体１０４がともに断面円形の円柱状とされており、第１筐体１０３と第２筐体１０４との境界面１０５は配列方向に直交する方向に沿う平面とされている。
【００５４】
第１筐体１０３および第２筐体１０４は、境界面１０５に対して直交する方向、すなわち、第１筐体１０３および第２筐体１０４の配列方向に沿って配置された連結軸１６によって相対的に回動可能に連結されている。
【００５５】
第２筐体１０４の正面には通話やメール等の通信機能やカメラ機能等を操作する第１操作部としての各種入力キー群１７が設けられ、第２筐体１０４の周方向の所定位置には文字や図形等を手描き入力する第２操作部としてのタッチパッド１８が設けられている。
【００５６】
そして、第２筐体１０４の各種入力キー群１７を操作する場合は、図１６（ａ）に示すように、第２筐体１０４の各種入力キー群１７を第１筐体１０３の表示部１１と同じ側に配置して、該表示部１１を見ながら各種入力キー群１７を操作し、第２筐体１０４のタッチパッド１８を操作する場合には、図１６（ｂ）に示すように、連結軸１６を中心として第２筐体１０４を第１筐体１０３に対して任意の角度で相対的に回動させて第２筐体１０４のタッチパッド１８を第１筐体１０３の表示部１１と同じ側に配置し、この状態で表示部１１を見ながら入力ペン１９でタッチパッド１８に文字や図形等の手描き入力操作を行う。
【００５７】
この第９実施形態によれば、第２筐体１０４の周方向の任意の位置に第２操作部としてのタッチパッド１８が設けることができるので、第２筐体１０４のタッチパッド１８を操作する場合には、連結軸１６を中心として第２筐体１０４を第１筐体１０３に対して任意の角度（例えば９０°、４５°）相対的に回動させるだけで、第２筐体１０４のタッチパッド１８を第１筐体１０３の表示部１１と同じ側に配置することができる。
その他の構成および作用効果は上記第１実施形態と同様である。
【００５８】
図１７に示す本発明の第１０実施形態である携帯端末１１０は、第１筐体１１３および第２筐体１１４の境界面１１５は、上記各実施形態のように、第１筐体１１３および第２筐体１１４の配列方向に対して直交する方向ではなく、該配列方向に対して斜めに交差する方向に沿う平面とされている。
第１筐体１１３および第２筐体１１４は、境界面１１５に対して直交する方向に沿って配置された連結軸１６によって相対的に回動可能に連結されている。
【００５９】
そして、第２筐体１１４の各種入力キー群１７を操作する場合は、図１７（ａ）に示すように、第２筐体１１４の各種入力キー群１７を第１筐体１１３の表示部１１と同じ側に配置して、該表示部１１を見ながら各種入力キー群１７を操作し、第２筐体１１４のタッチパッド１８を操作する場合には、図１７（ｂ）に示すように、連結軸１６を中心として第２筐体１１４を第１筐体１１３に対して１８０°相対的に回動させて第２筐体１１４のタッチパッド１８を第１筐体１１３の表示部１１と同じ側に配置し、この状態で表示部１１を見ながら入力ペン１９でタッチパッド１８に文字や図形等の手描き入力操作を行う。
【００６０】
この第１０実施形態によれば、第１筐体１１３の表示部１１の下端側の幅方向の側方（図では右側方）に第２筐体１１４のタッチパッド１８を配置して手描き入力操作を行うことができる。
なお、第１筐体１１３および第２筐体１１４の配列方向に対して斜めに交差する方向に沿う傾斜面１１５の傾斜方向を適宜変更することで、第１筐体１１３の表示部１１の下端側の幅方向の左側方に第２筐体１１４のタッチパッド１８を配置するようにしてもよい。
その他の構成および作用効果は上記第１実施形態と同様である。
【００６１】
図１８〜図２０に示す本発明の第１１実施形態である携帯端末１２０は、第１筐体１２３および第２筐体１２４の境界面１２５が、第１筐体１２３および第２筐体１２４の配列方向に対して直交する第１筐体１２３および第２筐体１２４の幅方向に延び、かつ、第１筐体１２３および第２筐体１２４の正面から背面にかけて傾斜する傾斜面とされている。
第１筐体１２３および第２筐体１２４は、境界面１２５に対して直交する方向に沿って配置された連結軸１６によって相対的に回動可能に連結されている。
【００６２】
そして、第２筐体１２４の各種入力キー群１７を操作する場合は、図１８および図１９に示すように、第２筐体１２４の各種入力キー群１７を第１筐体１２３の表示部１１と同じ側に配置して、該表示部１１を見ながら各種入力キー群１７を操作し、第２筐体１２４のタッチパッド１８を操作する場合には、図２０に示すように、連結軸１６を中心として第２筐体１２４を第１筐体１２３に対して１８０°相対的に回動させることで、第２筐体１２４のタッチパッド１８が第１筐体１２３に対して前記境界面１２５の傾斜角度に対応する角度で該第１筐体１２３の表示部１１と同じ側に傾斜配置され、この状態で表示部１１を見ながら入力ペン１９でタッチパッド１８に文字や図形等の手描き入力操作を行う。
【００６３】
この第１１実施形態によれば、第１筐体１２３に対して境界面１２５の傾斜角度に対応する角度で第２筐体１２４のタッチパッド１８を第１筐体１２３の表示部１１に対応する位置に傾斜配置することができる。
その他の構成および作用効果は上記第１実施形態と同様である。
【００６４】
図２１および図２２に示す本発明の第１２実施形態である携帯端末１３０は、第１筐体１３３および第２筐体１３４の境界面１３５が円弧面とされたもので、第１筐体１３３の境界面１３５位置の下端面が円弧状の凹曲面１３５ａとされているとともに、第２筐体１３４の境界面１３５位置の上端面が凹曲面１３５ａに対応する凸曲面１３５ｂとされている。
第１筐体１３３および第２筐体１３４は、境界面１３５の円弧の頂部位置での接線方向に対して直交する方向、すなわち、第１筐体１３３および第２筐体１３４の配列方向に沿って配置された連結軸１６によって相対的に回動可能に連結されている。
【００６５】
そして、第２筐体１３４の各種入力キー群１７を操作する場合は、第２筐体１３４の各種入力キー群１７を第１筐体１３３の表示部１１と同じ側に配置して、該表示部１１を見ながら各種入力キー群１７を操作し、第２筐体１３４のタッチパッド１８を操作する場合には、連結軸１６を中心として第２筐体１３４を第１筐体１３３に対して１８０°相対的に回動させて第２筐体１３４のタッチパッド１８を第１筐体１３３の表示部１１と同じ側に配置し、この状態で表示部１１を見ながら入力ペン１９でタッチパッド１８に文字や図形等の手描き入力操作を行う。
【００６６】
また、この携帯端末１３０は、図２２（ａ）に示すように、あらかじめ第２筐体１３４に内蔵させたダイヤル１３７の周面の一部が凸曲面１３５ｂ（円弧面）に設けられた凹部１３５ｃから露出している。
そして、図２２（ｂ）に示すように、連結軸１６を中心として第２筐体１３４を第１筐体１３３に対して９０°相対的に回動させることにより、ダイヤル１３７を第１筐体１３３の表示部１１と同じ側に配置し、使用者が手で第２筐体１３４を縦に把持した状態で表示部１１を見ながらダイヤル１３７を親指の腹で往復回動操作できるようになっている。
【００６７】
この第１２実施形態によれば、基本的な構成および作用効果は上記第１実施形態と同様である。
その上、第１２実施形態の携帯端末１３０によれば、第２筐体１３４の凸曲面１３５ｂ（円弧面）にダイヤル１３７が設けられているため、第２筐体１３４を第１筐体１３３に対して９０°相対的に回動させることにより、例えばダイヤル１３７の往復回動操作により上下スクロールを多用するメールの読み取りやインターネットブラウザによるウェブサイトの閲覧等を行う際に優れた操作性が得られる。
【００６８】
なお、本発明の携帯端末は、前述した各実施形態に限定されるものでなく、適宜な変形，改良等が可能である。
例えば、前述した各実施形態においては、第２筐体の第２操作部として文字や図形等を手描き入力するタッチパッド１８を例示したが、指等の接触入力により表示部のポインティングカーソルの位置を移動させるタッチパッド等の操作部やその他の操作部を採用してもよい。
【００６９】
また、前述した各実施形態では、通信機能を備えた携帯端末を例示したが、これに限定されず、ＰＤＡ（Personal Digital Assistants ）等の通信機能を備えていない携帯端末に本発明を適用してもよい。
【００７０】
その他、前述した各実施形態において例示した表示部、第１筐体、第２筐体、境界面、連結軸、各操作部等の材質，形状，寸法，形態，数，配置個所等は本発明を達成できるものであれば任意であり、限定されない。
【図面の簡単な説明】
【００７１】
【図１】本発明に係る第１実施形態である携帯端末を示す図であり、（ａ）は正面図、（ｂ）は（ａ）の右側面図、（ｃ）は（ａ）の背面図である。
【図２】第１筐体に対する第２筐体の相対的な回動動作を説明するための斜視図であり、（ａ）は第２筐体の第１操作部である各種入力キーが第１筐体の表示部に対応する位置に配置された状態を示す斜視図、（ｂ）は第２筐体を第１筐体に対して回動させている状態を示す斜視図、（ｃ）は第２筐体の第２操作部である手描きタッチパッドが第１筐体の表示部に対応する位置に配置された状態を示す斜視図である。
【図３】右利きの人が第２筐体の手描きタッチパッドを操作する方法を示す図である。
【図４】左利きの人が第２筐体の手描きタッチパッドを操作する方法を示す図である。
【図５】携帯端末を置き時計として用いる例を示す図である。
【図６】図５の矢印Ａ方向から見た斜視図である。
【図７】本発明に係る第２実施形態である携帯端末を示す斜視図であり、（ａ）は第２筐体の第１操作部である各種入力キーが第１筐体の表示部に対応する位置に配置された状態を示す斜視図、（ｂ）は第２筐体を第１筐体に対して回動させている状態を示す斜視図、（ｃ）は第２筐体の第２操作部である手描きタッチパッドが第１筐体の表示部と同じ側に配置された状態を示す斜視図である。
【図８】本発明に係る第３実施形態である携帯端末を示す斜視図であり、（ａ）は第２筐体の第１操作部である各種入力キーが第１筐体の表示部と同じ側に配置された状態を示す斜視図、（ｂ）は第２筐体を第１筐体に対して回動させている状態を示す斜視図、（ｃ）は第２筐体の第２操作部である手描きタッチパッドが第１筐体の表示部と同じ側に配置された状態を示す斜視図である。
【図９】本発明に係る第４実施形態である携帯端末を示す斜視図である。
【図１０】本発明に係る第５実施形態である携帯端末を示す斜視図である。
【図１１】本発明に係る第６実施形態である携帯端末を示す斜視図であり、（ａ）は第２筐体の第１操作部である各種入力キーが第１筐体の表示部と同じ側に配置された状態を示す斜視図、（ｂ）は第２筐体を第１筐体に対して回動させた状態を示す斜視図、（ｃ）は第２筐体の第２操作部である手描きタッチパッドが第１筐体の表示部と同じ側に配置された状態を示す斜視図である。
【図１２】携帯端末を置き時計として用いる例を示す図である。
【図１３】本発明に係る第７実施形態である携帯端末を示す斜視図であり、（ａ）は第２筐体の第１操作部である各種入力キーが第１筐体の表示部と同じ側に配置された状態を示す斜視図、（ｂ）は第２筐体を第１筐体に対して回動させた状態を示す斜視図、（ｃ）は第２筐体の第２操作部である手描きタッチパッドが第１筐体の表示部と同じ側に配置された状態を示す斜視図である。
【図１４】携帯端末を置き時計として用いる例を示す図である。
【図１５】本発明に係る第８実施形態である携帯端末を示す斜視図である。
【図１６】本発明に係る第９実施形態である携帯端末を示す斜視図であり、（ａ）は第２筐体の第１操作部である各種入力キーが第１筐体の表示部と同じ側に配置された状態を示す斜視図、（ｂ）は第２筐体の第２操作部である手描きタッチパッドが第１筐体の表示部と同じ側に配置された状態を示す斜視図である。
【図１７】本発明に係る第１０実施形態である携帯端末を示す斜視図であり、（ａ）は第２筐体の第１操作部である各種入力キーが第１筐体の表示部と同じ側に配置された状態を示す斜視図、（ｂ）は第２筐体の第２操作部である手描きタッチパッドが第１筐体の表示部と同じ側に配置された状態を示す斜視図である。
【図１８】本発明に係る第１１実施形態である携帯端末を示す斜視図である。
【図１９】図１９の矢印Ａ方向から見た図である。
【図２０】第２筐体の第２操作部である手描きタッチパッドが第１筐体の表示部と同じ側に配置された状態を示す斜視図である。
【図２１】本発明に係る第１２実施形態である携帯端末を示す斜視図である。
【図２２】（ａ）は第２筐体に内蔵させたダイヤルを示す部分斜視図、（ｂ）は使用状態を示す側面図である。
【符号の説明】
【００７２】
１０  携帯端末
１１  表示部
１３  第１筐体
１４  第２筐体
１５  境界面
１６  連結軸
１７  各種入力キー群（操作部）
１８  タッチパッド（操作部）
【図１】
2006067341.tif 000003
【図２】
2006067341.tif 000004
【図３】
2006067341.tif 000005
【図４】
2006067341.tif 000006
【図５】
2006067341.tif 000007
【図６】
2006067341.tif 000008
【図７】
2006067341.tif 000009
【図８】
2006067341.tif 000010
【図９】
2006067341.tif 000011
【図１０】
2006067341.tif 000012
【図１１】
2006067341.tif 000013
【図１２】
2006067341.tif 000014
【図１３】
2006067341.tif 000015
【図１４】
2006067341.tif 000016
【図１５】
2006067341.tif 000017
【図１６】
2006067341.tif 000018
【図１７】
2006067341.tif 000019
【図１８】
2006067341.tif 000020
【図１９】
2006067341.tif 000021
【図２０】
2006067341.tif 000022
【図２１】
2006067341.tif 000023
【図２２】
2006067341.tif 000024